(57)【特許請求の範囲】
【請求項１】
看護指示内容と、前記看護指示内容を実施すべきサイクルと、前記サイクルにて前記看護指示内容に係る看護を実施すべき期間とを記憶した記憶部を参照して、前記看護指示内容を前記サイクルにて実施すべき期間を示す看護スケジュールを表示し、
表示した前記看護スケジュールのうち、前記期間に含まれるいずれかの日の選択に応じて、選択された日における前記看護指示内容を実施すべきサイクルに新たなサイクルを追加する登録画面を表示し、
選択された日と、選択された日における前記看護指示内容と、前記登録画面において追加された新たなサイクルと、を前記記憶部に新たに記憶し、
前記看護スケジュールを表示する処理で表示した前記看護スケジュールと並べて、前記記憶する処理で記憶された情報に基づく看護スケジュールを表示する、
処理をコンピュータに実行させることを特徴とする看護スケジュール編集支援プログラム。
【請求項２】
看護指示内容と、前記看護指示内容を実施すべきサイクルと、前記サイクルにて前記看護指示内容に係る看護を実施すべき期間とを記憶した記憶部を参照して、前記看護指示内容を前記サイクルにて実施すべき期間を示す看護スケジュールを表示し、
表示した前記看護スケジュールのうち、前記期間に含まれるいずれかの日の選択に応じて、選択された日における前記看護指示内容を実施すべきサイクルに新たなサイクルを追加する登録画面を表示し、
選択された日と、選択された日における前記看護指示内容と、前記登録画面において追加された新たなサイクルと、を前記記憶部に新たに記憶し、
前記看護スケジュールを表示する処理で表示した前記看護スケジュールと並べて、前記記憶する処理で記憶された情報に基づく看護スケジュールを表示する、
処理をコンピュータが実行することを特徴とする看護スケジュール編集支援方法。
【請求項３】
看護指示内容と、前記看護指示内容を実施すべきサイクルと、前記サイクルにて前記看護指示内容に係る看護を実施すべき期間とを記憶した記憶部と、
前記記憶部を参照して、前記看護指示内容を前記サイクルにて実施すべき期間を示す看護スケジュールを表示する第１表示部と、
前記第１表示部が表示した前記看護スケジュールのうち、前記期間に含まれるいずれかの日の選択に応じて、選択された日における前記看護指示内容を実施すべきサイクルに新たなサイクルを追加する登録画面を表示する第２表示部と、
選択された日と、選択された日における前記看護指示内容と、前記登録画面において追加された新たなサイクルと、を前記記憶部に新たに記憶する記憶処理部と、
前記第１表示部が表示した前記看護スケジュールと並べて、前記記憶処理部が記憶した情報に基づく看護スケジュールを表示する第３表示部と、
を備える看護スケジュール編集支援装置。
【発明の詳細な説明】
【技術分野】
【０００１】
本発明は、看護スケジュール編集支援プログラム、看護スケジュール編集支援方法及び看護スケジュール編集支援装置に関する。
【背景技術】
【０００２】
従来、医療現場においては、患者に対して行うべき看護の内容（看護指示）と、それぞれの看護指示を実施する日付や期間とをカレンダー形式で一覧表示することがある（例えば特許文献１、２等参照）。
【先行技術文献】
【特許文献】
【０００３】
【特許文献１】特開２００８−２１０１５号公報
【特許文献２】特開平９−２５１４８８号公報
【発明の概要】
【発明が解決しようとする課題】
【０００４】
一方、医療現場においては、看護指示が複数日にわたる場合に、特定の日付の看護指示を個別に変更したいという要望がある。
【０００５】
従来においては、特定の日付の看護指示を変更する場合、特定の日付以降の看護指示を変更するとともに、特定の日付の翌日以降の看護指示を元に戻すという操作が必要となっており、操作が煩雑であった。
【０００６】
１つの側面では、本発明は、看護スケジュールを編集し易くすることが可能な看護スケジュール編集支援プログラム、看護スケジュール編集支援方法及び看護スケジュール編集支援装置を提供することを目的とする。
【課題を解決するための手段】
【０００７】
一つの態様では、看護スケジュール編集支援プログラムは、看護指示内容と、前記看護指示内容を実施すべきサイクルと、前記サイクルにて前記看護指示内容に係る看護を実施すべき期間とを記憶した記憶部を参照して、前記看護指示内容を前記サイクルにて実施すべき期間を示す看護スケジュールを表示し、表示した前記看護スケジュールのうち、前記期間に含まれるいずれかの日の選択に応じて、選択された日における前記看護指示内容を実施すべきサイクルに新たなサイクルを追加する登録画面を表示し、選択された日と、選択された日における前記看護指示内容と、前記登録画面において追加された新たなサイクルと、を前記記憶部に新たに記憶し、前記看護スケジュールを表示する処理で表示した前記看護スケジュールと並べて、前記記憶する処理で記憶された情報に基づく看護スケジュールを表示する、処理をコンピュータに実行させるプログラムである。
【発明の効果】
【０００８】
看護スケジュールを編集し易くすることができる。
【図面の簡単な説明】
【０００９】
【図１】一実施形態に係る病院内システムの構成を概略的に示す図である。
【図２】図２（ａ）は、サーバのハードウェア構成図であり、図２（ｂ）は、利用者端末のハードウェア構成図である。
【図３】サーバの機能ブロック図である。
【図４】図４（ａ）は、指示ＤＢのデータ構造を示す図であり、図４（ｂ）は、指示詳細ＤＢのデータ構造を示す図である。
【図５】サーバの処理を示すフローチャートである。
【図６】図６（ａ）〜図６（ｃ）は、図５の処理による画面の変遷を示す図である。
【図７】指示変更画面の一例を示す図である。
【図８】図８（ａ），図８（ｂ）は、図６（ｂ）の画面において複写が選択された場合の指示ＤＢ及び指示詳細ＤＢの状態を示す図である。
【図９】図９（ａ），図９（ｂ）は、図７の指示変更画面において確定ボタンが押された場合の指示ＤＢ及び指示詳細ＤＢの状態を示す図である。
【図１０】図１０（ａ）、図１０（ｂ）は、比較例について説明するための図である。
【発明を実施するための形態】
【００１０】
以下、病院内システムの一実施形態について、図１〜図９に基づいて詳細に説明する。本実施形態の病院内システム１００は、看護師が患者に対して行う看護指示の内容（看護スケジュール）を管理等するシステムである。
【００１１】
図１には、一実施形態に係る病院内システム１００の構成が概略的に示されている。図１に示すように、病院内システム１００は、看護スケジュール編集支援装置としてのサーバ１０と、利用者端末７０と、を備える。サーバ１０と利用者端末７０は、インターネットやＬＡＮ（Local Area Network）などのネットワーク８０に接続されている。なお、利用者端末７０は、複数であってもよいし、１つであってもよい。
【００１２】
サーバ１０は、看護スケジュールに関するデータを蓄積・管理する。また、サーバ１０は、看護スケジュールに関する各種画面を作成して利用者端末７０に送信したり、利用者端末７０からの入力に応じて看護指示を登録、変更等したりする。図２（ａ）には、サーバ１０のハードウェア構成が示されている。図２（ａ）に示すように、サーバ１０は、ＣＰＵ（Central Processing Unit）９０、ＲＯＭ（Read Only Memory）９２、ＲＡＭ（Random Access Memory）９４、記憶部（ここではＨＤＤ（Hard Disk Drive））９６、ネットワークインタフェース９７、及び可搬型記憶媒体用ドライブ９９等を備えている。これらサーバ１０の各部は、バス９８に接続されている。ＣＰＵ９０が、ＲＯＭ９２あるいはＨＤＤ９６に格納されているプログラム（看護スケジュール編集支援プログラムを含む）、或いは可搬型記憶媒体用ドライブ９９が可搬型記憶媒体９１から読み取ったプログラム（看護スケジュール編集支援プログラムを含む）を実行することにより、サーバ１０を、図３に示す入出力処理部２０、記憶処理部としての看護指示登録部２２、情報処理部２４、及び画面生成部２６として機能させる。なお、図３には、ＨＤＤ９６等に格納されている指示ＤＢ３０、及び指示詳細ＤＢ３２も図示されている。
【００１３】
入出力処理部２０は、利用者端末７０において入力された情報を取得し、取得した情報を看護指示登録部２２や情報処理部２４に送信する。また、入出力処理部２０は、画面生成部２６において生成された画面を利用者端末７０に送信する。
【００１４】
看護指示登録部２２は、入出力処理部２０が利用者端末７０から受信した看護指示の情報を取得し、指示ＤＢ３０、指示詳細ＤＢ３２に登録する。ここで、指示ＤＢ３０及び指示詳細ＤＢ３２について、図４（ａ）、図４（ｂ）に基づいて、詳細に説明する。
【００１５】
図４（ａ）には、指示ＤＢ３０のデータ構造が示されている。指示ＤＢ３０は、看護指示の情報を格納するデータベースであり、図４（ａ）に示すように、「患者ＩＤ」、「指示内容」、「オーダＮｏ．」、「指示開始日時」、「指示終了日時」の各フィールドを有する。「患者ＩＤ」のフィールドには、看護指示に対応する患者の識別番号が格納される。「指示内容」のフィールドには、看護指示の内容（バイタルサイン測定や、入浴など）が格納される。「オーダＮｏ．」のフィールドには、看護指示ごとに付与された識別番号が格納される。「指示開始日時」及び「指示終了日時」のフィールドには、看護指示の有効期間の情報が格納される。
【００１６】
図４（ｂ）には、指示詳細ＤＢ３２のデータ構造が示されている。指示詳細ＤＢ３２は、看護指示の具体的内容が格納されるデータベースであり、「オーダＮｏ．」、「属性」、「内容」の各フィールドを有する。「オーダＮｏ．」のフィールドには、指示ＤＢ３０に格納されているオーダＮｏ．のいずれかが格納される。「属性」のフィールドには、データの属性（項目名）が格納される。例えば、「属性」のフィールドには、「指示項目」、「日指定」、「時間指定」、「コメント」等が格納される。「内容」のフィールドには、「属性」に対応する具体的な情報が格納される。図４（ｂ）では、オーダＮｏ．＝００００１の看護指示の場合、バイタルサイン測定を毎日１１時と１６時に実行することと、部分介助である旨が格納されている。なお、属性が「時間指定」の場合に「内容」のフィールドに格納される時刻（時間）は、看護指示を実施すべきサイクルであるといえる。
【００１７】
図３に戻り、情報処理部２４は、入出力処理部２０が利用者端末７０から受信した情報に基づいて、各種処理を実行する。例えば、利用者端末７０から看護指示の内容を変更したいとの要求があった場合に、当該要求に応じた処理を行うとともに、画面生成部２６に対して当該要求に応じた画面を生成させる。
【００１８】
画面生成部２６は、情報処理部２４からの指示の下、利用者端末７０に表示させる画面を生成し、入出力処理部２０に対して送信する。入出力処理部２０は、画面生成部２６により生成された画面を利用者端末７０に送信する。
【００１９】
図１に戻り、利用者端末７０は、医療機関（病院等）において看護師等が各種情報を閲覧、入力したり、看護指示に関する登録、閲覧を行うための端末である。利用者端末７０は、図２（ｂ）に示すように、ＣＰＵ１９０、ＲＯＭ１９２、ＲＡＭ１９４、記憶部（ＨＤＤ）１９６、表示部１９３、入力部１９５、ネットワークインタフェース１９７、及び可搬型記憶媒体用ドライブ１９９等を備えている。利用者端末７０の各部は、バス１９８に接続されている。表示部１９３は、液晶ディスプレイ等を含み、入力部１９５は、キーボードやマウス、タッチパネル等を含む。ＣＰＵ１９０は、プログラムを実行することで、表示処理を実行する表示処理部や入力処理を実行する入力処理部として、利用者端末７０を機能させる。
【００２０】
次に、本実施形態の病院内システム１００において実行される処理について、図５のフローチャートに沿って詳細に説明する。なお、図５の処理の前提として、指示ＤＢ３０には、図４（ａ）のデータが格納されており、指示詳細ＤＢ３２には、図４（ｂ）のデータが格納されているものとする。また、看護師は、利用者端末７０上で患者（例えば、患者ＩＤが９０００１の患者）を指定して、登録されている看護指示内容を示す画面の表示要求を入力したとする。
【００２１】
図５の処理では、まず、ステップＳ１０において、情報処理部２４は、画面表示処理を行う。この場合、情報処理部２４は、看護師からの表示要求に基づいて、画面生成部２６に看護指示の画面を生成させる。なお、情報処理部２４は、指示ＤＢ３０や指示詳細ＤＢ３２から必要な情報（例えば、患者ＩＤ＝９０００１に対応する情報）を収集し、画面生成部２６に送信する。そして、画面生成部２６は、受信した情報に基づいて、図６（ａ）のような画面を生成する。なお、図６（ａ）の画面においては、一例として１０月３１日から１１月６日の期間がカレンダー表示され、当該画面においては、バイタルサイン測定を毎日１１時と１６時に行う必要があることが矢印「→」にて示されている。画面生成部２６は、生成した画面のデータを入出力処理部２０を介して利用者端末７０に送信するので、利用者端末７０においては、表示部１９３上に図６（ａ）の画面が表示されることになる。
【００２２】
次いで、ステップＳ１１では、情報処理部２４が、看護師が日を特定した状態で右クリックするまで待機する。例えば、１１月１日のバイタルサイン測定に関して、１１時と１６時に加え、２０時にも実行する必要があり、看護師がその旨を登録したいと考えたとする。この場合、看護師は、図６（ａ）に示すように、１１月１日の矢印の欄にマウスカーソルを合わせた状態で右クリックをする。情報処理部２４は、このような看護師の操作があったという情報を入出力処理部２０を介して取得した場合には、ステップＳ１２に移行する。
【００２３】
ステップＳ１２に移行すると、情報処理部２４は、右クリックメニューを表示する処理を実行する。具体的には、情報処理部２４は、画面生成部２６に右クリックメニューを生成させるとともに、入出力処理部２０を介して、右クリックメニューの画面データを利用者端末７０に送信させる。これにより、利用者端末７０の表示部１９３上には、図６（ｂ）に示すような画面が表示されることになる。
【００２４】
次いで、ステップＳ１４では、情報処理部２４が、看護師によって複写が選択されるまで待機する。なお、看護師は図６（ｂ）の右クリックメニューの中から「複写」以外を選択する場合もある。このように、「複写」以外が選択された場合には、選択に応じた処理が行われるが、本実施形態ではその場合の各処理の説明については省略する。一方、看護師により右クリックメニューから「複写」が選択された場合には、情報処理部２４は、ステップＳ１６に移行する。
【００２５】
ステップＳ１６に移行すると、情報処理部２４は、複写元の指示内容を取得し、指示ＤＢ３０、指示詳細ＤＢ３２に複写データを作成する。具体的には、情報処理部２４は、図８（ａ）に示すように、指示ＤＢ３０において、オーダＮｏ．＝００００２のデータを作成するとともに、図８（ｂ）に示すように、指示詳細ＤＢ３２において、オーダＮｏ．＝００００２のデータを作成する（図８（ａ）、図８（ｂ）の下線部参照）。この場合、情報処理部２４は、指示ＤＢ３０の「指示開始日時」、「指示終了日時」のフィールド、及び指示詳細ＤＢ３２の属性「時間指定」に対応する「内容」のフィールド以外は、オーダＮｏ．＝００００１の情報を複写する。
【００２６】
次いで、ステップＳ１８では、情報処理部２４が、指示変更画面を表示する。具体的には、情報処理部２４は、図７に示すような指示変更画面を画面生成部２６に生成させ、入出力処理部２０を介して利用者端末７０に送信する。なお、図７の画面には、開始日時、終了日時として、右クリックされた日付の０時００分と２３時５９分が予め表示されるが、看護師は、これらの日付を適宜変更することができるものとする。また、看護師は、図７の画面上の時間指定の欄において、１又は複数の時間を選択し、「確定」ボタンを押すものとする。
【００２７】
ステップＳ２０では、情報処理部２４が、指示変更画面（図７）において時刻が選択された後、「確定」ボタンが押されるまで待機する。看護師により「確定」ボタンが押されたという情報が、利用者端末７０、入出力処理部２０を介して情報処理部２４に入力されると、ステップＳ２２に移行する。
【００２８】
ステップＳ２２に移行すると、看護指示登録部２２は、指示変更画面に入力されている情報に基づいて、複写データの指示開始日時、指示終了日時をセットする。例えば、図７の指示変更画面の内容で「確定」ボタンが押された場合には、看護指示登録部２２は、図９（ａ）に示すように、指示ＤＢ３０に指示開始日時、指示終了日時をセットする。
【００２９】
次いで、ステップＳ２４では、看護指示登録部２２が、指示変更画面にて選択された時刻（時間）を指示詳細ＤＢ３２に反映させる。例えば、図７の指示変更画面の内容で「確定」ボタンが押された場合には、看護指示登録部２２は、図９（ｂ）に示すように、指示詳細ＤＢ３２において、オーダＮｏ．＝００００２の属性「時間指定」に対応する「内容」のフィールドに「２０時」をセットする。
【００３０】
次いで、ステップＳ２６では、情報処理部２４が、看護指示画面を変更して表示する。具体的には、情報処理部２４は、画面生成部２６に対して、図９（ａ）の指示ＤＢ３０、及び図９（ｂ）の指示詳細ＤＢ３２のデータのうち、患者ＩＤ＝９０００１に対応するデータを送信し、図６（ｃ）に示すような画面を生成させる。画面生成部２６は、生成した画面のデータを入出力処理部２０を介して利用者端末７０に送信するので、利用者端末７０においては、表示部１９３上に図６（ｃ）の画面が表示されることになる。
【００３１】
図６（ｃ）の画面においては、１１月１日に、バイタルサイン測定を１１時、１６時、２０時のサイクルで行う必要があること、及びその他の日においては、１１時、１６時のサイクルで行う必要があること、が分かり易く表示されるようになっている。なお、図６（ｃ）では、新たに表示された看護スケジュールの提示条件が「単日  ２０時」と表記されているが、これは、図９（ａ）に示すように指示ＤＢ３０のオーダＮｏ．＝００００２の指示開始日時と指示終了日時により定まる期間が１日であるからである。
【００３２】
なお、以降において、看護師が患者ＩＤ＝９０００１の看護スケジュールの表示要求を出した場合にも、図６（ｃ）の画面が表示されることになる。
【００３３】
これまでの説明から分かるように、本実施形態では、情報処理部２４、画面生成部２６、及び入出力処理部２０を含んで、看護スケジュールを表示する第１表示部、及び指示変更画面を表示する第２表示部としての機能が実現されている。
【００３４】
以上詳細に説明したように、本実施形態によると、情報処理部２４は、看護指示の内容と、看護指示を実施すべき時刻（サイクル）と、この時刻（サイクル）にて看護指示内容に係る看護を実施すべき期間（指示開始日時及び指示終了日時で規定される期間）とを記憶した指示ＤＢ３０及び指示詳細ＤＢ３２を参照して、画面生成部２６を用いて、看護指示を実施すべき期間を示す看護スケジュールを表示する（Ｓ１０，図６（ａ））。そして、情報処理部２４は、表示した看護スケジュールのうち、期間に含まれるいずれかの日の選択（Ｓ１２、Ｓ１４）に応じて、当該日を対象とする当該期間と同一の看護指示を行うべき時刻（サイクル）を追加するための指示変更画面（図７）を画面生成部２６を用いて表示する（Ｓ２０）。これにより、看護師は、看護スケジュールの期間のうちのいずれかの日を選択して、表示される指示変更画面において時刻（サイクル）を選択することで、選択した日において看護指示を実施すべき時刻（サイクル）を追加することができる。このように、本実施形態では、看護指示を実施すべき期間のうちいずれかの日の看護指示のサイクルを変更し易くすることができるため、看護師は、簡易な操作で、看護スケジュールを変更することが可能となる。
【００３５】
また、本実施形態では、指示変更画面は、期間に対応付けて指示詳細ＤＢ３２に記憶されている時刻（サイクル）に、新たな時刻を追加する画面であるため、看護師は新たな時刻を特定するという簡易な操作を行うことで、看護スケジュールの変更を行うことができる。
【００３６】
また、本実施形態では、看護指示登録部２２は、看護指示の内容と、指示変更画面において入力された時刻（サイクル）と、看護師が選択した日（右クリックした日）と、を指示ＤＢ３０及び指示詳細ＤＢ３２に記憶する。これにより、期間のうちのいずれかの日にサイクルが追加されても、当該日の前のデータ、当該日のデータ、当該日の後のデータというように３つのデータに分割されず、期間のデータと、当該日のデータという２つのデータとすることができる。これにより、データを簡素化することができる。
【００３７】
また、本実施形態では、情報処理部２４は、図６（ｃ）のように、元々の看護スケジュールとともに、新たに指示変更画面で登録した看護スケジュールを並べて表示するので、指示変更画面で新たに登録された情報を見易く表示することができる。
【００３８】
ここで、比較例について説明する。図１０（ａ）には、比較例において表示される画面イメージが示されている。図１０（ａ）に示す例において、上記実施形態と同様、ある患者に出されている看護指示（バイタルサイン測定）のうち、特定の日（例えば１１月１日）だけ条件を変えるとする。この場合、看護師は特定の日（１１月１日）以降の指示条件を変更するとともに、特定の日の次の日（１１月２日）以降の指示条件を元に戻すという操作が必要であった。このような操作が必要なのは、指示条件を変更した場合、以降の期間のデータが上書きされていたためである。なお、上記操作を行った後は、図１０（ｂ）に示すように、指示条件を変更した日と、変更していない日とに異なる表示（白丸表示）がされていた。本比較例では、指示条件を変更する操作が上記実施形態と比較して煩雑であるとともに、１行に複数の指示条件が表示されるため、見づらいことが分かる。
【００３９】
なお、上記実施形態では、指示変更画面（図７）において、開始日時、終了日時を変更できる場合について説明したが、これに限らず、各日時は変更できなくてもよい。この場合、ステップＳ２２をステップＳ１８の前に行うこととしてもよい。また、いずれか一方の日時のみ変更可能としてもよい。
【００４０】
なお、上記実施形態では、指示ＤＢ３０と指示詳細ＤＢ３２とを別々のデータベースとする場合について説明したが、これに限らず、指示ＤＢ３０と指示詳細ＤＢ３２とを１つのデータベースに纏めてもよい。
【００４１】
なお、上記の処理機能は、コンピュータによって実現することができる。その場合、処理装置が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体（ただし、搬送波は除く）に記録しておくことができる。
【００４２】
プログラムを流通させる場合には、例えば、そのプログラムが記録されたＤＶＤ（Digital Versatile Disc）、ＣＤ−ＲＯＭ（Compact Disc Read Only Memory）などの可搬型記録媒体の形態で販売される。また、プログラムをサーバコンピュータの記憶装置に格納しておき、ネットワークを介して、サーバコンピュータから他のコンピュータにそのプログラムを転送することもできる。
【００４３】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【００４４】
上述した実施形態は本発明の好適な実施の例である。但し、これに限定されるものではなく、本発明の要旨を逸脱しない範囲内において種々変形実施可能である。
【００４５】
なお、以上の実施形態の説明に関して、更に以下の付記を開示する。
（付記１）  看護指示内容と、前記看護指示内容を実施すべきサイクルと、前記サイクルにて前記看護指示内容に係る看護を実施すべき期間とを記憶した記憶部を参照して、前記看護指示内容を実施すべき期間を示す看護スケジュールを表示し、
表示した前記看護スケジュールのうち、前記期間に含まれるいずれかの日の選択に応じて、選択された該日を対象とし、前記看護指示内容を看護指示内容とするサイクルの登録画面を表示する、
処理をコンピュータに実行させることを特徴とする看護スケジュール編集支援プログラム。
（付記２）  前記登録画面は、前記期間に対応付けて前記記憶部に記憶されているサイクルに、新たなサイクルを追加する画面であることを特徴とする付記１に記載の看護スケジュール編集支援プログラム。
（付記３）  前記看護指示内容と、前記登録画面において登録されたサイクルと、対象とされた前記日と、を前記記憶部に記憶する、処理をコンピュータに更に実行させることを特徴とする付記１又は２に記載の看護スケジュール編集支援プログラム。
（付記４）  前記看護スケジュールを表示する処理で表示した前記看護スケジュールとともに、前記記憶する処理で記憶された情報に基づく看護スケジュールを表示する、処理をコンピュータに更に実行させることを特徴とする付記３に記載の看護スケジュール編集支援プログラム。
（付記５）  看護指示内容と、前記看護指示内容を実施すべきサイクルと、前記サイクルにて前記看護指示内容に係る看護を実施すべき期間とを記憶した記憶部を参照して、前記看護指示内容を実施すべき期間を示す看護スケジュールを表示し、
表示した前記看護スケジュールのうち、前記期間に含まれるいずれかの日の選択に応じて、選択された該日を対象とし、前記看護指示内容を看護指示内容とするサイクルの登録画面を表示する、
処理をコンピュータが実行することを特徴とする看護スケジュール編集支援方法。
（付記６）  前記登録画面は、前記期間に対応付けて前記記憶部に記憶されているサイクルに、新たなサイクルを追加する画面であることを特徴とする付記５に記載の看護スケジュール編集支援方法。
（付記７）  前記看護指示内容と、前記登録画面において登録されたサイクルと、対象とされた前記日と、を前記記憶部に記憶する、処理をコンピュータが更に実行することを特徴とする付記５又は６に記載の看護スケジュール編集支援方法。
（付記８）  前記看護スケジュールを表示する処理で表示した前記看護スケジュールとともに、前記記憶する処理で記憶された情報に基づく看護スケジュールを表示する、処理をコンピュータが更に実行することを特徴とする付記７に記載の看護スケジュール編集支援方法。
（付記９）  看護指示内容と、前記看護指示内容を実施すべきサイクルと、前記サイクルにて前記看護指示内容に係る看護を実施すべき期間とを記憶した記憶部と、
前記記憶部を参照して、前記看護指示内容を実施すべき期間を示す看護スケジュールを表示する第１表示部と、
前記第１表示部が表示した前記看護スケジュールのうち、前記期間に含まれるいずれかの日の選択に応じて、選択された該日を対象とし、前記看護指示内容を看護指示内容とするサイクルの登録画面を表示する第２表示部と、
を備える看護スケジュール編集支援装置。
（付記１０）  前記登録画面は、前記期間に対応付けて前記記憶部に記憶されているサイクルに、新たなサイクルを追加する画面であることを特徴とする付記９に記載の看護スケジュール編集支援装置。
（付記１１）  前記看護指示内容と、前記登録画面において登録されたサイクルと、対象とされた前記日と、前記記憶部に記憶する記憶処理部を更に備える付記９又は１０に記載の看護スケジュール編集支援装置。
（付記１２）  前記第１表示部は、表示した前記看護スケジュールとともに、前記記憶処理部が前記記憶部に記憶した情報に基づく看護スケジュールを表示する、ことを特徴とする付記１１に記載の看護スケジュール編集支援装置。
【符号の説明】
【００４６】
１０  サーバ（看護スケジュール編集支援装置）
２０  入出力処理部（第１表示部の一部、第２表示部の一部）
２２  看護指示登録部（記憶処理部）
２４  情報処理部（第１表示部の一部、第２表示部の一部）
２６  画面生成部（第１表示部の一部、第２表示部の一部）
【図１】
0006536051.tif 000002
【図２】
0006536051.tif 000003
【図３】
0006536051.tif 000004
【図４】
0006536051.tif 000005
【図５】
0006536051.tif 000006
【図６】
0006536051.tif 000007
【図７】
0006536051.tif 000008
【図８】
0006536051.tif 000009
【図９】
0006536051.tif 000010
【図１０】
0006536051.tif 000011